(57)【要約】【課題】記録媒体（光ディスク）の記録面の傾きであるラジアルチルトの影響により再生信号が不安定となることを抑止可能で、しかもラジアルチルト成分を、正確に検出可能な光ピックアップおよび光ディスク装置を提供する。【解決手段】この発明は、光ディスクＤの記録面で反射された光を捕捉する対物レンズ２６と、対物レンズにより捕捉された光を、所定個数に分割するとともに、分割されたそれぞれの光を所定方向に回折させる偏光制御素子２４と、偏光制御素子により分割され、回折された光を、その分割された成分毎に検出する光検出器２７と、光検出器の出力の内、光ディスクの半径方向に沿った傾き成分（ラジアルチルト）を、光ディスクと対物レンズとの間の距離の変化を示す信号成分（ＦＥＳ）と、光ディスクに記録されている信号成分列の半径方向の位置を示す信号成分（ＤＰＤ）との差として取得する信号処理部２と、有する。【選択図】図１
2007179686.tif 000002
【特許請求の範囲】
【請求項１】
記録媒体の記録面で反射された光を捕捉する対物レンズと、
前記対物レンズにより捕捉された光を、所定個数に分割するとともに、分割されたそれぞれの光を所定方向に回折させる回折手段と、
前記回折手段により回折された光を、その分割された成分毎に検出する光検出器と、
前記光検出器の出力の内、記録媒体の半径方向に沿った傾き成分を、記録媒体と前記対物レンズとの間の距離の変化を示す信号成分と、記録媒体に記録されている信号成分列の半径方向の位置を示す信号成分との差として取得する演算回路と、
を有することを特徴とする光ピックアップ。
【請求項２】
前記演算回路は、記録媒体に記録されている信号成分列に対応する再生出力が最大になるように前記対物レンズと記録媒体との間の距離が設定された状態で、前記対物レンズと記録媒体との間の距離のずれを求めるための信号の生成に利用される前記光検出記の受光セルの出力の組み合わせを、デフォーカス像が結像されるセルとは逆側のセルの出力の位相差を求めることができる配列として取り込み、信号処理することを特徴とする請求項１記載の光ピックアップ。
【請求項３】
前記演算回路は、前記回折手段により所定数に分割され、それぞれ方向付けられた回折光を、前記回折手段の回折領域が分割される際に、隣接する分割領域からの光とは異なる領域からの光を相互に加算し、加算により得られた信号の差を求めることを特徴とする請求項１記載の光ピックアップ。
【請求項４】
記録媒体の記録面で反射された光を捕捉する対物レンズと、前記対物レンズにより捕捉された光を、所定個数に分割するとともに、分割されたそれぞれの光を所定方向に回折させる回折手段と、前記回折手段により回折された光を、その分割された成分毎に検出する光検出器と、前記光検出器の出力の内、記録媒体の半径方向に沿った傾き成分を、記録媒体と前記対物レンズとの間の距離の変化を示す信号成分と、記録媒体に記録されている信号成分列の半径方向の位置を示す信号成分との差として取得する演算回路と、を含む光ピックアップと、
前記光検出器により検出された信号から記録媒体の記録面に記録されている情報に対応する再生出力を得る信号処理回路と、
を有することを特徴とする光ディスク装置。
【請求項５】
記録媒体の記録面で反射された光を捕捉する対物レンズと、前記対物レンズにより捕捉された光を、所定個数に分割するとともに、分割されたそれぞれの光を所定方向に回折させる回折手段と、前記回折手段により回折された光を、その分割された成分毎に検出する光検出器と、前記光検出器の出力の内、記録媒体の半径方向に沿った傾き成分を、記録媒体と前記対物レンズとの間の距離の変化を示す信号成分と、記録媒体に記録されている信号成分列の半径方向の位置を示す信号成分との差として取得する演算回路と、を含む光ピックアップを用い、
前記演算回路は、対物レンズを、ＲＦ振幅（再生出力）が最大になるようにフォーカスオフセットを調整した状態で、
デフォーカス像が結像されるセルとは逆側のセルの出力の位相差を求めることを特徴とするラジアルチルト検出方法。
【請求項６】
前記演算回路は、回折手段の回折領域が分割される際に、隣接する分割領域からの光とは異なる領域からの光を相互に加算し、加算により得られた信号の差を求めることを特徴とする請求項５記載のラジアルチルト検出方法。
【請求項７】
前記演算回路は、光検出器が８つの検出セルを有し、そのうち４つの出力が互いに対をなす組である場合に、    
独立した４つの検出セルの出力をそれぞれＳＥ，ＳＦ，ＳＧ，ＳＨ、    
Ｐｈを位相差を求める処理、かつ、その出力をＤＰＤとし、    
対をなす組のセルがそれぞれセルＡとセルＢ、セルＣとセルＤであり、それぞれの出力をＳＡ，ＳＢ，ＳＣ，ＳＤとするとき、    
｛Ｐｈ（ＳＢ）−Ｐｈ（ＳＣ）｝−ｋｔ・ＤＰＤ−ｋｆ・ＦＥＳ    
ＤＰＤ＝Ｐｈ（ＳＥ＋ＳＧ）−Ｐｈ（ＳＦ＋ＳＨ）    
ＦＥＳは、シングルナイフエッジ法を想定した場合に、    
（ＳＡ＋ＳＤ）−（ＳＢ＋ＳＣ）    
ｋｔは、トラッキング制御のための係数項、    
ｋｆは、フォーカス制御のための係数項、    
であることを特徴とする請求項５記載のラジアルチルト検出方法。
【発明の詳細な説明】
【技術分野】
【０００１】
この発明は、光学的情報記録媒体である光ディスクに情報を記録し、または光ディスクから情報を再生する光ディスク装置ならびにその光ディスク装置に組み込まれる光ピックアップに関する。
【背景技術】
【０００２】
レーザ光を用いて非接触で情報が記録可能で、あるいは既に記録されている情報を再生できる光ディスク、および光ディスクに情報を記録し、または光ディスクから情報を再生する光ディスク装置（光ディスクドライブ装置）が実用化されて久しい。なお、ＣＤ規格やＤＶＤ規格と呼ばれる複数種類の記録密度の光ディスクが既に広く普及している。
【０００３】
近年、記録層に記録されている情報の再生に、青色または青紫色の波長の短いレーザ光を用いることにより、ＨＤ規格の映像データと高品質のサラウンドオーディオデータとを一枚のディスクに保存できる超高密度光ディスク（High Definition Digital Versatile Disc，以下、ＨＤ  ＤＶＤと略称する）も既に実用化されている。
【０００４】
ところで、ＤＶＤ規格の光ディスクやＨＤ  ＤＶＤ規格の光ディスク、特に、ＨＤ  ＤＶＤ規格の光ディスクにおいては、記録マーク列の密度が高められたことに依存して記録マークそのものの大きさが非常に小さいため、記録媒体の記録層を保護する保護する層の厚みの変動の影響を受け易く、情報の再生が不安定になることが知られている。また、光ディスクに記録されている情報を再生するための対物レンズは、複数の記録マーク列から情報を再生可能とするレンズシフト（レンズへの光軸に対する傾きの付与）制御により、光ディスクの記録面に対して傾き（ラジアルチルト）が与えられた状態で光ディスクからの反射レーザ光を取得する際に、記録マーク列と対物レンズとの距離が記録マーク列毎に変動することが知られている。
【０００５】
このため、トラック中心に対して直交する方向に所定量ずらしてと配置した一定ピッチのピットの再生差信号の振幅差を差演算して求めた第１のチルト検出値とトラッキングエラー信号から一定のピッチで形成されたピットの再生和信号の振幅差を差演算して求めた第２のチルト検出値とを差演算してチルトを検出し、その検出信号に従って、レーザ光の光軸中心とディスク面とを直交させるチルト制御機能が提案されている（例えば、特許文献１）。
【特許文献１】特開２０００−１２３３９０
【発明の開示】
【発明が解決しようとする課題】
【０００６】
しかしながら、特許文献１においては、レンズシフトが要求される微細なピッチの記録マーク列が形成されているＨＤ  ＤＶＤディスクから、ディスクに記録されている情報を再生することは、困難である。
【０００７】
本発明の目的は、記録媒体（光ディスク）の記録面の傾きであるラジアルチルトの影響により再生信号が不安定となることを抑止可能で、しかもラジアルチルト成分を、正確に検出可能な光ピックアップおよび光ディスク装置を提供することである。
【課題を解決するための手段】
【０００８】
この発明は、上記問題点に基づきなされたもので、記録媒体の記録面で反射された光を捕捉する対物レンズと、前記対物レンズにより捕捉された光を、所定個数に分割するとともに、分割されたそれぞれの光を所定方向に回折させる回折手段と、前記回折手段により回折された光を、その分割された成分毎に検出する光検出器と、前記光検出器の出力の内、記録媒体の半径方向に沿った傾き成分を、記録媒体と前記対物レンズとの間の距離の変化を示す信号成分と、記録媒体に記録されている信号成分列の半径方向の位置を示す信号成分との差として取得する演算回路と、を有することを特徴とする光ピックアップ、を提供するものである。
【発明の効果】
【０００９】
本発明によれば、記録媒体（光ディスク）のラジアルチルトに対して異なるオフセット量を正確に検出可能で、結果として安定な再生信号を得ることができる。従って、高密度で情報が記録されているＨＤ  ＤＶＤディスクから、安定に情報を再生可能となる。
【発明を実施するための最良の形態】
【００１０】
以下、図面を参照して、この発明の実施の形態について詳細に説明する。
【００１１】
図１は、本発明の実施の形態が適用可能な情報記録再生装置（光ディスク装置）の構成の一例を示す。
【００１２】
図１に示す光ディスク装置１は、記録媒体（光ディスク）Ｄの図示しない記録層（有機膜あるいは金属膜もしくは相変化膜）に情報を記録し、あるいは記録層に記録されている情報を読み出し、もしくは記録層に記録されている情報を消去可能な光ピックアップ装置（ＰＵＨ，Pick Up Head）１１を含む。なお、詳述しないが、光ディスク装置１は、光ピックアップ１１に加え、光ピックアップ１１を、光ディスクＤの記録面に沿って移動させる図示しないヘッド移動機構や光ディスクＤを所定の速度で回転させるディスクモータ（図示せず）等の機構要素を有する。また、光ディスク装置１は、後段に説明するが、光ピックアップ１１に組み込まれる光検出器の出力を処理する信号処理部および光ピックアップ１１の機構要素を制御する制御部等を含む。
【００１３】
光ディスクＤの記録層には、例えば０．３４μｍ〜１．６μｍのピッチで、案内溝すなわちトラックまたは記録マーク（記録済みデータ）列が、同心円またはスパイラル状に形成されている。なお、記録済みデータ（記録マーク）列については、ディスク成型時に、例えばエンボス加工により一体的に成型されることもある。
【００１４】
半導体レーザ素子（レーザダイオード（ＬＤ））２１からのレーザ光は、コリメートレンズ２２によりコリメートされる前段で、偏光ビームスプリッタ（ＰＢＳ）２３に案内され、偏光ビームスプリッタ（ＰＢＳ）２３により、波面の偏光面が特定の方向に方向付けられ、コリメートレンズ２２によりコリメート（平行光化）される。
【００１５】
コリメートレンズ２２によりコリメートされたレーザ光は、光分割素子すなわちホログラムプレート（ＨＯＥ）２４および１／４波長板（偏光制御素子）２５を通過して、対物レンズ（ＯＬ）２６に案内される。
【００１６】
対物レンズ２６に案内されたレーザ光は、対物レンズ２６により所定の収束性が与えられる（ＬＤ２１から出射されたレーザ光は、ＯＬ２６に案内され、ＯＬ２６の焦点位置で最小光スポットを呈する）。なお、対物レンズ２６は、例えばプラスチック製で、その開口数ＮＡは、例えば０．６５である。
【００１７】
光ディスクＤの情報記録面で反射されたレーザ光（以下、反射レーザ光と称する）は、対物レンズ２６により捕捉され、断面が概ね平行に戻されて、コリメートレンズ２２に案内される。この際、１／４波長板２５により、波面の偏光の方向が光ディスクＤに向かうレーザ光の偏光の方向に対して、９０°変化される。また、ＨＯＥ（光分割素子）２４により、フォトディテクタ（Photo Detector，ＰＤ）２７の検出領域の配列に応じて、所定数に分割されるとともに、所定の回折方向が与えられる。
【００１８】
コリメートレンズ２２に戻らされた反射レーザ光は、コリメートレンズ２２により所定の集束性が与えられるとともに、１／４波長板２５により波面の偏光の方向が９０°回転された結果、偏光ビームスプリッタ２３の偏光面において、反射され、フォトディテクタ（ＰＤ）２７の受光面に結像される。
【００１９】
光検出器２７から出力された電流は、図示しないＩ／Ｖアンプにより電圧に変換された後、信号処理部２において、ＲＦ（再生）信号、フォーカスエラー信号ＦＥ、トラックエラー信号ＴＥおよび対物レンズ２６の中心を通る軸線すなわち光軸に対する光ディスクＤの記録面のラジアル（半径）方向の傾きであるラジアルチルト信号ＴＲに変換される。
【００２０】
信号処理部２からの出力のうち、ＲＦ信号は、制御部３（または図示しないデータ処理部）により所定の信号形式に変換され、バッファ４を経由して、例えば一時記憶装置または外部記憶装置あるいは情報表示再生装置（パーソナルコンピュータやモニタ装置等）に出力される。
【００２１】
また、信号処理部２から出力のうち、対物レンズ２６の位置に関するフォーカスエラー信号ＦＥおよびトラックエラー信号ＴＥは、対物レンズ２６の位置を補正するフォーカス制御信号ＦＣおよびトラッキング制御信号ＴＣの生成に利用され、ＦＥ，ＴＥに基づいて設定されたＦＣおよびＴＣが、レンズ駆動回路５を通じて、フォーカスコイルおよびトラックコイル２８に、供給される。
【００２２】
さらに、信号処理部２から出力のうち、ラジアルチルトを示す信号ＲＴは、対物レンズ２６のラジアル方向の傾きを光ディスクＤの記録面に対して所定の範囲内に制御するためのチルト制御信号ＲＣの生成に利用され、レンズシフトＬＳ制御のためのレンズシフト信号ＬＣとともに、レンズ駆動回路５を通じ、共用されるフォーカスコイルおよびトラックコイルに、供給される。
【００２３】
フォーカスエラー信号ＦＥは、対物レンズ２６の位置を、対物レンズ２６と光ディスクＤの記録層との間の距離が対物レンズ２６の焦点距離に一致されるよう、光ディスクＤの記録層を含む面と直交するフォーカス（光軸）方向に移動させるフォーカス制御信号ＦＣの制御量を設定するために利用される。
【００２４】
トラックエラー信号ＴＥは、対物レンズ２６を、記録層のトラック（記録マーク）Ｔが延びる方向と直交する［Ｒａｄ方向］に、移動させるためのトラック制御信号ＴＣの制御量を設定するために利用される。
【００２５】
また、信号処理部２の出力のうちのＬＤ（レーザダイオード）２１から出射される光の強度に関する信号に対応して規定されるレーザ駆動信号が、レーザ駆動回路６を通じて、ＬＤ２１に供給される。なお、レーザ駆動信号には、制御部３（または図示しないデータ制御部）を通じて入力される記録データ、あるいは再生もしくは消去に対応する駆動電流の大きさが、逐次、重畳される。
【００２６】
なお、フォーカスエラー、トラックエラー、ラジアルチルトの検出方法としては、周知のさまざまな方法が利用可能であることはいうまでもない。また、特に、トラックエラー検出法としては、ＤＰＤ（Differential Phase Detection，位相差検出法）とＰＰ（Push Pull，プッシュプル法）を想定しているが、ＨＤ  ＤＶＤディスクにおいては、トラックピッチが狭いため、対物レンズ２６のレンズシフトの影響も考慮する必要があり、ＣＰＰ（Compensated Push Pull，補償トラックエラー検出法）によるトラックエラーの検出も併用している。
【００２７】
図２は、図１に示した光ディスク装置の光ピックアップに組み込まれるホログラム素子により光束が分割される際のパターンならびにフォトダイオード（光検出器）の受光領域の配列および形状の特徴（配列パターン）の一例を示す。
【００２８】
図２に示されるように、光分割素子（ＨＯＥ）２４には、Ａ部として拡大して示すように、対物レンズ２６を通る光軸中心と概ね一致する位置で直交する区分線２４Ｒと２４Ｔにより４分割された光回折領域２４Ａ〜２４Ｄを含む。
【００２９】
それぞれの光回折領域は、光ディスクＤの記録層で反射された反射レーザ光を、光検出器２７の受光面に形成された複数の検出セル（図２では８個、内４個は、ナイフエッジ法によるフォーカスエラーの検出のための一体型）に向けた所望の方向に、回折させることができる。なお、それぞれの検出セルの大きさや距離（位置関係）は、光ピックアップ１１の大きさや光分割素子２４に用意される回折領域の回折パターン等の条件に基づいて、任意に設定される。
【００３０】
一方で、光分割素子２４に要求される特性としては、光ディスクＤに記録された情報を再生する際のトラッキングエラーの検出に利用される位相差検出法（ＤＰＤ）およびプッシュ−プル法により得られるトラッキングエラー信号（ＰＰ）ならびに補償トラッキングエラー信号（ＣＰＰ）のＳ／Ｎを向上でき、かつ、フォーカスエラーの検出や、ディスクチルトの補正のための信号の検出に利用可能であって、しかも光ディスクＤの記録層からの反射レーザ光を確実に検出可能であれば、その形状や面積比、分割数、回折方向等は、光検出器２７の受光領域（検出セル）の配列との組み合わせにより、任意に設定できる。なお、図２に示す光分割素子２４においては、互いに直交するタンジェンシャル（ｔａｎ）方向の区分線２４Ｔおよびラジアル（ｒａｄ）方向の区分線２４Ｒにより、４つに区分された回折パターン（回折領域）は、左回りにＡ〜Ｄの順に識別される。このことは、領域「Ａ」と領域「Ｃ」とは、２本の区分線２４Ｒと２４Ｔの交差する位置を挟んで「回転対称」の位置にあり、従って領域「Ｃ」は、領域「Ａ」に隣接できないことを示している。同様に、領域「Ｂ」と領域「Ｄ」とは、隣接できない。
【００３１】
また、光検出器２７の検出セルの配列としては、ＲＦ振幅（再生出力）が最大になるようにフォーカスオフセットを調整した時に、ナイフエッジ法によるフォーカスエラー検出時に、ナイフエッジ（検出）セルすなわち上述した２７Ａと２７Ｂの組と２７Ｃと２７Ｄの組において、デフォーカス像が結像されるセルとは逆側のセルの出力の位相差を求めることができる配列であることが必要である。なお、個々の検出セルの配列は、信号処理のための図示しない配線パターンによっても制御（組み合わせ）可能であることはいうまでもない。
【００３２】
図２に従って、一例を説明すると、フォーカスエラー検出用の一対の検出セル２７Ａと２７Ｂの組には、例えば光分割素子２４の領域２４Ａで回折されたレーザ光が結像され、領域２４Ｄで回折されたレーザ光が、フォーカスエラー検出用の検出セル２７Ｃと２７Ｄの組に結像される。なお、領域２４Ａで回折されたレーザ光は、位相差検出用の検出セル２７Ｅにも結像される。また、領域２４Ｄで回折されたレーザ光は、位相差検出用の検出セル２７Ｈにも結像される。一方、検出セル２７Ｇには、領域２４Ｃで回折されたレーザ光が、検出せる２７Ｆには、領域２４Ｂで回折されたレーザ光が、それぞれ結像される。
【００３３】
この場合、位相差（ＤＰＤ）は、領域２４Ａで回折されたレーザ光を検出セルで検出した出力と領域２４Ｃで回折されたレーザ光を検出セルで検出した出力との和と領域２４Ｂで回折されたレーザ光を検出セルで検出した出力と領域２４Ｄで回折されたレーザ光を検出セルで検出した出力との和のそれぞれから差をとった信号とすることが好ましい。
【００３４】
すなわち、図２に示した光分割素子２４の個々の回折領域２４Ａ〜２４Ｄにより４つの位相差検出用に分割されたレーザ光とナイフエッジ法によるフォーカスエラー検出用の２つのレーザ光とを、位相差検出用には、ラジアル（ｒａｄ）方向の区分線およびタンジェンシャル（ｔａｎ）方向のそれぞれの区分線が交差する位置を基準とし、いずれの区分線とも平行になることのない領域で分割（回折）されたレーザ光を検出セルにより検出した出力から位相差を求めることで、（すなわち、たすきがけＤＰＤにより）ラジアルチルトが安定に得られる。
【００３５】
光検出器２７の個々の検出セルの出力を、それぞれ、    
セル２７Ｅの出力  →  ＳＥ    
セル２７Ｆの出力  →  ＳＦ    
セル２７Ｇの出力  →  ＳＧ    
セル２７Ｈの出力  →  ＳＨ    
とするとき、図３により以下に説明するように、たすきがけＤＰＤ、すなわち  
Ｐｈ（ＳＥ＋ＳＧ）−Ｐｈ（ＳＦ＋ＳＨ）    
「Ｐｈ」は、位相差を求める処理を示す    
により（対物レンズ２６に）トラッキングサーボをかけたときの各チャネルの位相比較のオフセット変化の変動に基づいて、設定される。
【００３６】
図３は、位相差を求めるチャネルの組み合わせすなわち光検出器の出力として、光分割素子の隣接する領域で回折されたレーザ光から位相差を求めた場合と、上述のたすきがけＤＰＤにより位相差を求めた場合のＤＣオフセットの程度とラジアルチルト（ｄｅｇ）との関係（縦軸は、「１」で正規化したもの）を示す。なお、曲線Ａは、Ｐｈ（ＳＨ）−Ｐｈ（ＳＥ）すなわち光分割素子の４つの回折領域の内の隣接する２つの領域で回折されたレーザ光を用いて位相差を求めた場合を示し、曲線Ｂは、Ｐｈ（ＳＥ＋ＳＧ）−Ｐｈ（ＳＦ＋ＳＨ）すなわちたすきがけＤＰＤの場合を示す。
【００３７】
図４は、図２に示した光検出器の個々の検出セルの出力と図３に示したオフセット変化とにより、ラジアルチルトを求める一例を示す。
【００３８】
曲線Ｃは、たすきがけＤＰＤ（Ｐｈ（ＳＥ＋ＳＧ）−（Ｐｈ（ＳＦ＋ＳＨ））でトラッキングサーボを動作させた場合の位相差Ｐｈ（ＳＨ）−Ｐｈ（ＳＥ）を示す。また、曲線Ｄは、たすきがけＤＰＤ（Ｐｈ（ＳＥ＋ＳＧ）−（Ｐｈ（ＳＦ＋ＳＨ））でトラッキングサーボを動作させた場合の位相差Ｐｈ（ＳＢ）−Ｐｈ（ＳＣ）を示す。
【００３９】
従って、ラジアルチルト量ＲＣは、光検出器２７の検出セル２７Ａ〜２７Ｄの出力を、それぞれ、
セル２７Ａの出力  →  ＳＡ    
セル２７Ｂの出力  →  ＳＢ    
セル２７Ｃの出力  →  ＳＣ    
セル２７Ｄの出力  →  ＳＤ    
とするとき、
｛Ｐｈ（ＳＢ）−Ｐｈ（ＳＣ）｝−ｋｔ・ＤＰＤ−ｋｆ・ＦＥＳ    
「Ｐｈ」は、位相差を求める処理を示す、    
ＤＰＤは、上述したたすきがけＤＰＤ出力であって、    
Ｐｈ（ＳＥ＋ＳＧ）−Ｐｈ（ＳＦ＋ＳＨ）    
ＦＥＳは、フォーカスエラー出力であって、図２においてシングルナイフエッジ法を想定した場合に、
（ＳＡ＋ＳＤ）−（ＳＢ＋ＳＣ）    
ｋｔは、トラッキング制御のための係数項、    
ｋｆは、フォーカス制御のための係数項、    
により、求めることができる。
【００４０】
この数式は、先に説明した『ＲＦ振幅（再生出力）が最大になるようにフォーカスオフセットを調整した時に、ナイフエッジ法によるフォーカスエラー検出時に、ナイフエッジ（検出）セルすなわち上述した２７Ａと２７Ｂの組と２７Ｃと２７Ｄの組において、デフォーカス像が結像されるセルとは逆側のセルの出力の位相差を求めることができる配列』に一致される。
【００４１】
ただし、上記のデフォーカス像が結像されるセルとは逆側のセルとは、本実施例の場合は、検出器Ｂ，Ｃの場合を述べたが、製造のばらつきにより、検出器Ａ，Ｄの組み合わせになる場合もありうる。
【００４２】
なお、上記ラジアルチルトは、図５に一例を示す演算回路により容易に求めることができる（図１に示した信号処理部２に、組み込まれる）。
【００４３】
以上説明したように、この発明によれば、記録媒体（光ディスク）のラジアルチルトに対して異なるオフセット量を正確に検出可能で、結果として安定な再生信号を得ることができる。従って、高密度で情報が記録されているＨＤ  ＤＶＤディスクから、安定に情報を再生可能となる。従って、再生信号が安定化され、光ディスク装置としての信頼性も向上される。
【００４４】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００４５】
【図１】本発明が適用可能な光ディスク装置の一例を示す概略図。
【図２】図１に示した光ディスク装置の光ピックアップの主要部を説明する概略図。
【図３】図２に示した光ピックアップにより生じるＤＰＤ信号のチャネルの組み合わせによる出力信号の差を説明するグラフ。
【図４】図２に示した光ピックアップにより生じるＤＰＤ信号とオフセット成分の関係を説明するグラフ。
【図５】図３および図４に示した出力信号の差およびオフセット成分の影響の除去が可能なラジアルチルト生成部の一例を示す概略図。
【符号の説明】
【００４６】
１…光ディスク装置（情報記録再生装置）、１１…光ピックアップ、２１…半導体レーザ素子、光源）、２２…コリメートレンズ、２３…偏光ビームスプリッタ（分離手段）、２４…光分割素子（分割手段）、２５…偏光制御素子（回折手段）、２６…対物レンズ、２７…光検出器、Ｄ…光ディスク（記録媒体）。
【図１】
2007179686.tif 000003
【図２】
2007179686.tif 000004
【図３】
2007179686.tif 000005
【図４】
2007179686.tif 000006
【図５】
2007179686.tif 000007